(57)【特許請求の範囲】
【請求項１】
ビデオデータを再生する１つまたは複数のユニットを格納するビデオデータ領域と、
複数のサムネイルを含む１つまたは複数のメニューデータファイルを格納するメニューデータ領域と、
メニューデータに索引を提供するメニュー管理情報を格納するメニュー管理領域と、
から構成され、
各サムネイルは再生するユニットの１つに対応し、前記複数のサムネイルは記録媒体の前記メニューデータファイル内の１つのブロックとしてまとめて保存され、
前記メニューデータファイルは前記メニュー管理情報に基づいて再生されることを特徴とするメニューデータ再生管理のためのデータ構造を持った記録媒体。
【請求項２】
前記メニューデータ領域は少なくとも２つのサムネイル間にパッディングデータを記録することを特徴とする請求項１記載の記録媒体。
【請求項３】
前記メニュー管理情報は、複数のサムネイルのスタートアドレスとエンドアドレスを提供することを特徴とする請求項１記載の記録媒体。
【請求項４】
記録媒体に記録されたメニューデータを再生する方法であって、
前記記録媒体から、メニューデータを提供するメニュー管理情報、１つまたは複数のメニューデータファイル、およびビデオデータを再生する１つまたは複数のユニットを読み取るステップと、
前記メニュー管理情報に基づいて、前記メニューデータファイルを再生するステップと、
から構成され、前記メニューデータファイルは複数のサムネイルを含み、それぞれのサムネイルはそれぞれの再生するユニットに対応しており、前記複数のサムネイルは前記記録媒体に前記メニューデータファイルの１つのブロックとして保存されていることを特徴とする方法。
【請求項５】
前記メニューデータ領域は、前記メニューデータファイル内の少なくとも２つの前記サムネイル間にパッディングデータを有することを特徴とする請求項４記載の方法。
【請求項６】
前記メニュー管理情報は、前記サムネイルのスタートアドレスとエンドアドレスを提供することを特徴とする請求項４記載の方法。
【請求項７】
記録媒体に記録されたデータを読み取るように構成された再生ユニットと、
前記記録媒体から、メニュー管理情報、１つまたは複数のメニューデータファイル、およびビデオデータを再生する１つまたは複数のユニットを読み取るため前記再生ユニットを制御するように構成された制御手段と、
前記メニュー管理情報に基づいて前記メニューデータファイルを再生するように構成されたデコーダと、
から構成され、前記メニュー管理情報は、前記再生する装置の１つに対応する複数のサムネイルを含むメニューデータファイルに情報を提供し、前記複数のサムネイルは前記記録媒体に、前記メニューデータファイルのブロックの１つとしてまとめて保存されることを特徴とする再生装置。
【請求項８】
前記制御手段は、前記メニューデータファイル内の少なくとも２つのサムネイル間にパッディングデータを有する前記メニューデータ領域から、前記メニューデータファイルを再生するように制御することを特徴とする請求項７に記載の装置。
【請求項９】
前記制御手段は、前記サムネイルのスタートアドレスおよびエンドアドレスを提供するメニュー管理情報を再生するように制御することを特徴とする請求項７に記載の装置。
【請求項１０】
前記記録媒体に記録されたメニューデータの再生を管理するためのデータ構造を記録する方法であって、
複数のサムネイルを含んだ、１つまたは複数のメニューデータファイルを記録媒体のメニューデータ領域に記録するステップと、
前記記録媒体のメニュー管理領域に、前記メニューデータファイル内の前記複数のサムネイルに索引を提供するメニュー管理情報を記録するステップと、
から構成され、それぞれのサムネイルは１つの再生するユニットに対応し、前記複数のサムネイルは前記記録媒体に前記メニューデータファイルの１つのブロックとしてまとめて保存され、
前記メニューデータファイルは、前記メニュー管理情報に基づいて再生されることを特徴とする方法。
【請求項１１】
前記メニューデータ領域は、前記メニューデータファイル内の少なくとも２つのサムネイル間にパッディングデータを有することを特徴とする請求項１０に記載の方法。
【請求項１２】
前記メニュー管理情報は、前記サムネイルのスタートアドレスおよびエンドアドレスを提供することを特徴とする請求項１０に記載の方法。
【請求項１３】
記録媒体にデータを書き込むように構成された記録するユニットと、
メニューデータファイルに索引を提供するメニュー管理情報、複数のサムネイルを含んだ１つまたは複数のメニューデータファイル、および１つまたは複数のビデオデータを再生するユニットを記録するために、前記記録するユニットを制御するように構成された制御手段と、
から構成され、それぞれのサムネイルは前記記録媒体にメニューデータの１つのブロックとしてまとめて保存され、
前記メニューデータファイルは前記メニュー管理情報に基づいて再生されることを特徴とする記録装置。
【請求項１４】
前記制御手段は、前記メニューデータファイルの少なくとも２つのサムネイル間にパッディングデータを有する前記メニューデータ領域に、メニューデータファイルを記録するように制御することを特徴とする請求項１３記載の装置。
【請求項１５】
前記制御手段は、メニューデータファイル内のサムネイルのスタートアドレスおよびエンドアドレスを提供する前記メニュー管理情報を記録するように制御することを特徴とする請求項１３記載の装置。
【発明の詳細な説明】
【技術分野】
【０００１】
本発明は、高密度ＤＶＤ（ＨＤ−ＤＶＤ：High Density Digital Versatile Disc)のような高密度光記録媒体に記録格納された多数のタイトルまたはチャプター（Chapter)をデジタルテレビ（Ｄ−ＴＶ）のようなデジタル画像表示装置のメニュー画像を通して選択指定できるようにするための高密度光記録媒体のメニュー記録及び再生表示方法に関するものである。
【背景技術】
【０００２】
まず、図１はデジタルテレビと連結される一般的なＤＶＤ再生器の構成のブロック図である。ＤＶＤ再生器１００は、ＤＶＤ１に記録格納された信号を読み出す光ピックアップ２と、光ピックアップ２から読み出されるアナログ信号を信号処理して２進信号として出力するアナログ信号処理部３と、２進信号を信号処理してデジタルデータに復元するデジタル信号処理部４と、復元されたデジタルデータをビデオデータ、サブピクチュアデータ及びオーディオデータに分離して出力するデータ分離部５と、ビデオデータをデコーディングして、元来の非圧縮ビデオデータに復元出力するビデオデコーダ６と、サブピクチュアデータをデコーディングして、元来のサブピクチュアデータに復元出力するサブピクチュアデコーダ７と、オーディオデータをデコーディングして、元来の非圧縮オーディオデータに復元出力するオーディオデコーダ８と、及びビデオデータまたはサブピクチュアデータがミキシングされたビデオデータとオーディオデータをデジタルテレビ２００で収容可能なＡ／Ｖデータストリームとして再エンコーディングして出力する再エンコーダ部９を含んで構成される。
【０００３】
前記のように構成されたＤＶＤ再生器１００では、光ピックアップ２により読み出される信号は、それを元来のビデオ及びオーディオデータに信号処理及びデコーディングした後、デジタルテレビ２００で収容可能なＡ／Ｖデータストリームに再エンコーディングして出力及び伝送することによって、ＤＶＤ１に記録格納されたビデオ及びオーディオデータをデジタルテレビ２００の画像画面を見ることができ、かつスピーカを通して視聴できる。
【０００４】
一方、光ピックアップ２により読み出された信号の中の字幕画像またはメニュー画像などのサブピクチュアデータは、信号処理及びデコーディングした後、ビデオデコーダ６により復元出力されたビデオデータとミキシングして、これをデジタルテレビ２００で収容可能なＡ／Ｖデータストリームに再エンコーディングして出力及び伝送する。したがって、デジタルテレビ２００ではＤＶＤ１に記録格納されたタイトルまたはチャプターに該当する字幕画像またはメニュー画像をデジタルテレビ２００の画像画面を通して画面表示するために、ミキシングされたビデオデータを受信してサブピクチュアデータを分離して処理できなければならない。
【０００５】
しかし、一般的なデジタルテレビは、メニュー画像のためのサブピクチュアデータのみを選択的に分離してデコーディングした後、背景画像画面とミキシングして、ユーザのメニュー選択のための停止画面として表示したり、またはユーザ選択によって、メニュー画像の特定部分のみをハイライトさせるメニュー画像表示機能及び選択機能が備わっていなかった。そのため、前記のように、デジタルテレビのメニュー画像を通してＤＶＤに記録格納された多数のタイトルまたはチャプターをユーザが選択指定できるようにするためには、ＤＶＤ再生器が現在のメニュー画像に該当する背景画像に該当するビデオデータとサブピクチャーデータをそれぞれ探してそれらをデコーディングした後、ミキシングしてデジタルテレビで収容可能なＡ／Ｖデータストリームに再エンコーディングして伝送しなければならないので、それによるシステムの実現が非常に複雑になるという問題点があった。
【０００６】
これにより、最近開発中である高密度ＤＶＤ（ＨＤ−ＤＶＤ）のような高密度光記録媒体を再生する高密度ＤＶＤ再生器（ＨＤ−ＤＶＤＰ）または高密度ＤＶＤ記録／再生器（ＨＤ−ＤＶＤＲ）の場合、デジタルテレビ（Ｄ−ＴＶ）と連結して用いられることが確実に予想されるので、高密度ＤＶＤに記録格納されたタイトルまたはチャプターをデジタルテレビ上のメニュー画像を通して選択指定できるようにする効率的な実用化が急を要している実情である。
【発明の開示】
【発明が解決しようとする課題】
【０００７】
したがって、本発明は前記のような問題点を解決するために創作されたものであり、高密度ＤＶＤ（ＨＤ−ＤＶＤ）のような高密度光記録媒体に記録格納されたタイトルまたはチャプターを選択指定できるようにするためのメニュー用ビデオデータ及び管理情報を記録格納すると同時に、これをデジタルテレビ（Ｄ−ＴＶ）のようなデジタル画像表示装置でメニュー画像として表示可能なフォーマットで読出し及び伝送する高密度光記録媒体のメニュー支援方法を提供することが目的である。
【課題を解決するための手段】
【０００８】
前記のような目的を達成するための本発明による高密度光記録媒体は、一つ以上のタイトル及び／またはチャプターに属するリアルタイムデータと、そのタイトルまたはチャプターの選択のためのそれぞれのメニュー項目が選択された状態であることが表示されたメニュー・ピクチュアがメニュー項目数だけ記録されていることを特徴とする。他の態様では、一つ以上のタイトル及び／またはチャプターに属するリアルタイムデータと、そのタイトルまたはチャプターの選択のための基本メニュー画像用のデータと、基本メニュー画像内の各メニュー項目が選択された状態であることを表示するためのＯＳＤ（Ｏｎ  Ｓｃｒｅｅｎ  Ｄｉｓｐｌａｙ）データを生成するためのメニュー管理情報が記録されていることを特徴とする。
【０００９】
また、本発明による高密度光記録媒体に対するメニュー支援方法は、メニュー表示の要求時、高密度光記録媒体のメニュー管理情報を検索して、その検索されたメニュー管理情報に基づいて、前記要求されたメニューに対応するメニュー画像のデータをサーチ及び読み出し、読み出されたメニュー画像のデータを、デジタルインタフェースを通して連結接続された外部機器に伝送すると同時に伝送されたメニュー画像内の特定メニュー項目が選択されたことを識別させるＯＳＤデータを生成してデジタルインタフェースを通して伝送することを特徴とする。また、本発明による高密度光記録媒体に対するまた他のメニュー支援方法は、表示されたメニュー画像上におけるメニュー項目の選択時、高密度光記録媒体のメニュー管理情報を検索して、検索されたメニュー管理情報に基づいて、選択されたメニュー項目が他の項目と区分表示されているメニュー・ピクチュアのデータをサーチ及び読み出し、前記読み出されたメニュー・ピクチュアのデータを変調して外部機器に送信することを特徴とする。
【発明の効果】
【００１０】
前記のような本発明による高密度光記録媒体のデジタルテレビジョンでのメニュー支援方法によれば、ユーザはデジタルテレビに画面表示される高密度ＤＶＤに対するメニュー画像を通して、高密度ＤＶＤに記録格納されたタイトルまたはチャプターを停止画像として確認できるようになることはもちろん、ハイライトされた特定項目を選択指定して、それに該当するタイトルまたはチャプターを再生させることができる。
【発明を実施するための最良の形態】
【００１１】
以下、本発明による高密度光記録媒体のメニュー支援方法に対する望ましい実施形態に対して、添付された図面を参照しながら詳細に説明する。
【００１２】
図２は、本発明によるメニュー支援方法が適用された高密度ＤＶＤ再生器とデジタルテレビの構成を概略的にブロック図として示したものである。高密度ＤＶＤ再生器１１０は、高密度ＤＶＤ１１に記録格納されたＭＰＥＧ２方式のＡ／Ｖデータとメニュー画像データを選択出力する選択読出し部１２と、ユーザの要求によって選択読出し部１２の作動を制御して再生作動を実行するコントローラ１４と、選択読出し部１２を通して出力されるＡ／Ｖデータまたはメニュー画像データを残留側波帯（ＶＳＢ）方式で再変調して出力するＶＳＢ再変調部１３とを含んでいる。一方、デジタルテレビ２１０は、高密度ＤＶＤ再生器から伝送される変調信号をＶＳＢ方式で復調して、ＭＰＥＧ２のＡ／Ｖデータとして出力するＶＳＢ復調部２１と、復調部から復調されて出力されるＡ／Ｖデータをデコーディングして元来のビデオ及びオーディオデータを出力するＭＰＥＧデコーダ部２２と、デコーディングされた元来のビデオ及びオーディオデータを画像及び音声で表示及び出力する出力部２３とを備えている。選択読出し部１２は、必要に応じて選択された主Ａ／Ｖデータ、メニューデータまたはナビゲーションデータを読み出すことができる。
【００１３】
高密度ＤＶＤ再生器１１０のコントローラ１４は、ユーザの要求によって選択読出し部１２のデータの選択及び読出し作動を制御する。すなわち、コントローラ１４は、ＶＳＢ再変調部１３に伝送出力されるデータを高密度ＤＶＤ１１に記録格納されたタイトルまたはチャプターに該当するＡ／Ｖデータを選択出力させたり、タイトルまたはチャプターを選択指定するためのメニュー・ピクチュアデータを出力させるように制御し、その出力を受信するデジタルテレビ２１０にメニュー・ピクチュアデータによるメニュー画像を停止画像として表示できるようにする。
【００１４】
図３は、本発明によるメニュー支援方法が適用される高密度ＤＶＤ再生器とデジタルテレビに対する他の実施形態の構成を示したものである。本高密度ＤＶＤ再生器１２０は、高密度ＤＶＤ３１に記録格納されたＭＰＥＧ２方式のＡ／Ｖデータとメニュー画像データを選択読み出す選択読出し部３２と、メニュー項目などのハイライトまたは文字表示等のためにデジタルテレビでメニュー画像にミキシングされて表現されるＯＳＤ（Ｏｎ  Ｓｃｒｅｅｎ  Ｄｉｓｐｌａｙ）データを高密度ＤＶＤに記録されたメニュー管理情報によってＯＳＤ伝送規格ＥＩＡ７７５に基づいて生成及び出力するＯＳＤ生成部３４と、ユーザの要求によって、選択読出し部３２及びＯＳＤ生成部３４の作動を制御するコントローラ３５と、選択読出し部３２を通して出力されるＡ／ＶデータをＩＥＥＥ１３９４インタフェースでの等時性（Isochronous)チャネルで伝送すると同時に、ＯＳＤ生成部３４から出力されるＯＳＤデータをＩＥＥＥ１３９４インタフェースでの非同期チャネルで伝送するインタフェース部３３を備えている。
【００１５】
そして、デジタルテレビ２２０の方は、等時性チャネルを通して伝送されるＡ／Ｖデータと、非同期チャネルを通して伝送されるＯＳＤデータをそれぞれ受信して出力するインタフェース部４１と、インタフェース部４１を通して出力されるＡ／Ｖデータをデコーディングして元来のビデオ及びオーディオデータを出力するＭＰＥＧデコーダ部４２と、受信されたＯＳＤデータとデコーディングされた元来のビデオデータをミキシングする混合器４４と、デコーディングされたビデオまたはＯＳＤデータがミキシングされたビデオデータ及びオーディオデータを画像及び音声で表示及び出力する出力部４３とを含んでいる。
【００１６】
本実施形態の高密度ＤＶＤ再生器１２０のコントローラ３５は、ユーザの要求によって選択読出し部３２のデータ選択及び読出し作動を制御して、インタフェース部３３の等時性チャネルを通して伝送されるデータを高密度ＤＶＤ３１に記録格納されたＡ／Ｖデータ、またはタイトル及びチャプターを選択指定するためのメニュー画像データが選択出力されるように制御する。メニュー画像データが出力される場合には、ＯＳＤ生成部３４は現在出力されているメニュー画像データとその管理情報に基づいてＯＳＤデータ、例えば、画像画面内に特定部分のみをハイライトさせるための装飾データまたは特定タイトルを説明する文字情報を生成してインタフェース部３３の非同期チャネルを通して伝送する。一方、高密度ＤＶＤ再生器１２０からデータを受信するデジタルテレビ２２０は、Ａ／Ｖデータ及びメニュー画像データに対してはＭＰＥＧデコーダ４２でデコーディングして、そのデコーディングされたデータをＯＳＤデータがある場合にはそのデータと合成して出力部４３を通して表示する。メニュー画像データはＯＳＤデータと一緒に停止画像として画面に表示される。
【００１７】
一方、図４は本発明によるメニュー支援方法のための高密度光記録媒体の階層的データ記録構造を示したものである。高密度ＤＶＤは、ファイルシステム領域とビデオゾーン領域に区分されている。ビデオゾーン領域には、多数のタイトル（Ｔｉｔｌｅ＃１、２．．）とＶＭＧ（Ｖｉｄｅｏ  Ｍａｎａｇｅｒ）データとが記録される。ＶＭＧデータは、ＶＭＧメニューデータのナビゲーションのためのナビゲーションデータと、ＶＭＧメニュー用のＡ／Ｖデータとで構成される。タイトルのデータは、ナビゲーションデータとリアルタイムＡ／Ｖデータであるプレゼンテーションデータとで構成されている。また、ナビゲーションデータには、一般情報とメニュー情報とが含まれ、プレゼンテーションデータには、タイトルメニュー用のＡ／Ｖデータとタイトル内容のためのＡ／Ｖデータとが含まれる。ビデオゾーン領域は全体として上記のようなそれぞれのデータを含む領域からなる階層的構造を有する。また、ＶＭＧデータに含まれるＶＭＧメニュー用のＡ／Ｖデータは、タイトル及びディスク全体の情報変更及び選択のための大メニューに該当し、プレゼンテーションデータに含まれるタイトルメニュー用のＡ／Ｖデータは、タイトル内のチャプター及び情報を変更選択するための小メニューに該当する。
【００１８】
また、ＶＭＧデータは、他の例として図５に示したように、ＶＭＧメニューデータのナビゲーションのためのナビゲーションデータと、ＶＭＧメニュー用のＡ／Ｖデータと、各タイトルのメニュー用のＡ／Ｖデータに細分して構成することもできる。
【００１９】
前記のような、階層的データ記録構造を有する高密度光記録媒体に記録格納されたメニューデータをサーチするためのナビゲーション情報、すなわち管理情報を参照して、高密度光記録媒体に記録格納されたタイトルまたはチャプターを選択できるように、Ａ／Ｖメニュー画像を再生してデジタルテレビに提供するメニュー再生及び表示方法に対して、以下添付された図面を参照しながら詳細に説明する。
【００２０】
まず、ＥＩＡ７７５規格によるＯＳＤ機能と、これを支援するデジタルインタフェース、例えば、ＩＥＥＥ１３９４インタフェースを採用している図３の構成におけるメニュー支援方法に対して説明する。この時のメニュー支援方式は、図６に図示したように、ユーザが任意に選択できる多数の選択項目、例えば一つのメニューページ画面内に４個のタイトル選択のための４個のサムネイルと、現在の表示の前後のメニューページへの移動を選択するための２個のサムネイル（四角とその中の三角）とがある場合、その６個のサムネイルがすべて含まれた一つの基本メニュー画像がＶＭＧメニュー用のＡ／Ｖデータに含まれている。上記サムネイルはいわゆるアイコンである。異なる４個のタイトルを含むメニューページ毎に一つの基本メニュー画像が存在する。タイトル選択のための各項目のサムネイルは、図６に図示したように、該当するタイトル内の任意のピクチャーデータをサンプリングした簡略化されたイメージデータとして構成される。そして、ユーザが基本メニュー画像内の任意の項目のサムネイルを選択する時、これを表示するためのＯＳＤデータを発生させるための管理情報もＶＭＧメニュー用のＡ／Ｖデータにやはり含まれている。
【００２１】
各基本メニュー画像のデータは、図１０に示すような高密度記録集合体（ＨＯＢ：ＨＤ  ＯＢｊｅｃｔ）を構成している。
【００２２】
メニューデータを前記のように記録すれば、図７に示したメニューページの６種類の選択形態を画面表示するためには、一つの基本メニュー画像用のデータを読み出して表示し、ユーザが選択した情報を受信してそれに対応してメニュー管理情報から選択項目が区分されるように、例えば、ハイライトさせるＯＳＤデータを生成してデジタルテレビに提供して図示のように画面表示させる。すなわち、図７の選択形態は、一つの基本メニュー画像と、６種の異なるＯＳＤデータにより現れる。
【００２３】
以下では、ＶＳＢ再変調方式を通してデジタルテレビとインタフェースする図２の構成におけるメニュー支援方法に対して説明する。この時のメニュー支援方式では、図６に図示したように、１つのメニューページに６個の項目がある場合、その６個の項目選択状態をそれぞれ表示するための６個のメニュー画像が存在する。この時も一つのメニュー画像は一つの記録集合体で構成できる。すなわち図７に図示された各々の選択形態は６個のメニュー画像データにより現れる。
【００２４】
一方、ＶＳＢ再変調伝送方式に適合なメニュー画像データストリームの記録構造は、図８に図示したのと同じである。全体のメニューページのためのデータはＭＰＥＧ２トランスポートストリーム（ＭＰＥＧ２  Ｔｒａｎｓｐｏｒｔ  Ｓｔｒｅａｍ）であるＶＭＧ記録集合体ＶＭＧ＿ＨＯＢｓとして構成される。このＶＭＧ記録集合体は、第１メニューページでの最初の項目が選択された時に対する最初のメニュー・ピクチュア（１ｓｔ  Ｐｉｃｔｕｒｅ  ｆｏｒ  Ｍｅｎｕ  Ｐａｇｅ＃１）に該当する記録集合体と、第１メニューページでの２番目の項目が選択された時に対する二番目のメニュー・ピクチュア（２ｎｄ  Ｐｉｃｔｕｒｅ  ｆｏｒ  Ｍｅｎｕ  Ｐａｇｅ＃１）に該当する記録集合体、以下同様にこのような順序で最後のメニューページでの６番目項目が選択された時に対するメニュー・ピクチュアに該当する記録集合体で構成される。すなわち、最初にページ１の６つのピクチャ（それぞれ６項目の場合）、ページ２の６つのピクチャ、・・・ページｎの６つのピクチャと並んでいる。
【００２５】
そして各メニュー・ピクチュアデータの間、すなわち前記記録集合体の間にはナルデータパックＮｕｌｌ＿ＨＤ＿ＰＣＫが付加的に記録できる。また前記各記録集合体の記録位置情報、例えば、メニュー・ピクチュア記録集合体のスタート・アドレス（Ｍｅｎｕ＿Ｐ＿ＨＯＢ＿ＳＡ＃１１、＃１２、．．、＃ｎ６、．．）情報と、メニュー・ピクチュア記録集合体の終了アドレス（Ｍｅｎｕ＿Ｐ＿ＨＯＢ＿ＥＡ＃１１、＃１２、．．、＃ｎ６、．．）情報をメニューデータのナビゲーションデータとして記録管理することができる。
【００２６】
これにより、前記コントローラ１４はユーザの要求によってメニュー画像が表示されている状態でいずれか一項目を選択すると、選択された項目とメニュー管理情報に基づいて出力するメニュー・ピクチュアを決定して、その決定されたメニュー・ピクチュアに該当するメニュー・ピクチュア記録集合体のスタート・アドレス及び終了アドレス情報をメニューナビゲーションデータで検索確認して、メニュー・ピクチュアが記録された記録位置をサーチした後、選択された項目をハイライトさせたメニュー・ピクチュアに該当するメニューデータを読み出して再生する一方、前記のように読み出して再生されるメニューデータを選択出力するように選択読出し部１２のデータ選択を制御する。こうして要求された項目が選択されたことを表示するメニュー画像が前記ＶＳＢ再変調部１３により変調されてデジタルテレビに伝送されて画面に出力される。
【００２７】
この時、出力されるメニュー・ピクチュアが停止画像として表示されるようにするために、一つのメニュー・ピクチュアのデータを、図９に図示したように、一つのＩピクチャ（イントラ符号化ピクチャ）と一つまたは複数個のＰピクチャとで構成することができる。Ｐピクチャの画面内容はＩピクチャと内容が完全に同一であるが画像圧縮方式のみが異なった画像である。第１メニューページの最初ピクチュア（１'ｓｔ  Ｐｉｃｔｕｒｅ  ｏｆ  Ｍｅｎｕ  Ｐａｇｅ＃１）のＩピクチャのデータを読み出して伝送した後、Ｐピクチャのデータを順次に読み出して伝送する。この時、Ｐピクチャは繰り返して伝送できる。Ｐピクチャを所定回数伝送した後には再び現在のメニュー・ピクチュアに対するＩピクチャとＰピクチャを伝送する作動を繰り返して実行する。
【００２８】
このような作動は、ユーザがメニュー選択または項目選択を変えるまで実行される。したがって、デジタルテレビでは、ＩピクチャとＰピクチャを連続的に受信して表示するので、結局ユーザはメニュー画像を停止画像として見ることになる。
【００２９】
一方、メニュー画像用ＯＳＤデータをＩＥＥＥ１３９４によって伝送する方式に適合するメニュー画像データストリームの記録構造は、図１０に図示したものと同じである。
【００３０】
メニューページに対するＭＰＥＧ２トランスポート・ストリームフォーマットのデータを有するＶＭＧ記録集合体ＶＭＧ＿ＨＯＢｓは、第１の基本メニューページ（Ｍｅｎｕ  Ｐａｇｅ＃１）に該当する記録集合体、第２の基本メニューページ（Ｍｅｎｕ  Ｐａｇｅ＃２）に該当する記録集合体、以下同様にこのような順序で最後の基本メニューページに該当する記録集合体で構成される。すなわち、第１〜第ｎ記録集合体が並べられている。そして各記録集合体の間にはナルデータパックＮｕｌｌ＿ＨＤ＿ＰＣＫが付加的に記録できる。また各記録集合体に対する記録位置情報、例えば、基本メニューページ記録集合体のスタート・アドレス（‘Ｍｅｎｕ＿Ｐ＿ＨＯＢ＿ＳＡ’ｓ＃１、＃２、．．、＃ｎ、．．）情報と、基本メニューページ記録集合体の終了アドレス（‘Ｍｅｎｕ＿Ｐ＿ＨＯＢ＿ＥＡ’ｓ＃１、＃２、．．、＃ｎ、．．）情報をメニューデータのナビゲーションデータとして記録管理する。
【００３１】
これにより、前記コントローラ３５はユーザからメニュー画像表示が要求される場合、ユーザが表示を所望する基本メニュー画像を、メニュー管理情報に基づいて決定して、その決定された基本メニュー画像に該当する記録集合体のスタート・アドレス及び終了アドレス情報をメニューナビゲーションデータで検索確認して、基本メニューページが記録された記録位置をサーチしてメニューデータを読み出して再生する一方、前記のように読み出して再生されるメニューデータが、インタフェース部３３の等時性チャネルを通して選択出力させる。同時に、ユーザが現在の基本メニュー画像上で選択した項目に対するハイライトや文字情報表示のための内容をメニュー管理情報から探し、ＯＳＤ生成部３４を利用して、前記内容に対応するＥＩＡ７７５規格上のＯＳＤデータを生成して、インタフェース部３３の非同期チャネルを通してデジタルテレビに伝送する。
【００３２】
この時、伝送される基本メニューページのデータストリームもやはり、ＩピクチャとＰピクチャの反復で構成される。これを図１１に図示した。図９における伝送方式と同一であって単に相違点は、選択項目が区分されるように表示されたメニュー・ピクチュアが伝送されるか、ＯＳＤデータにより選択項目が区分されるように表示される基本メニュー画像が伝送されるかのみ異なるだけである。
【００３３】
以上、前述した本発明の望ましい実施形態は、例示の目的のために開示されたこととして、当業者であれば添付された特許請求範囲に開示された本発明の技術的思想とその技術的範囲内で、多様な他の実施形態を改良、変更、代替または付加などが可能である。
【図面の簡単な説明】
【００３４】
【図１】一般的なＤＶＤ再生器に対する構成を示した図。
【図２】本発明によるメニュー支援方法が適用される高密度ＤＶＤ再生器とデジタルテレビに対する一部構成を概念的に示した図。
【図３】本発明によるメニュー支援方法が適用される高密度ＤＶＤ再生器とデジタルテレビに対する一部構成を概念的に示した図。
【図４】本発明によるメニュー支援方法のための高密度ＤＶＤの階層的データ構造を示した図。
【図５】本発明によるメニュー支援方法のための高密度ＤＶＤの階層的データ構造を示した図。
【図６】メニュー画像の構成例を示した図。
【図７】選択されたメニュー項目によって出力されるメニュー画像の形態を示した図。
【図８】本発明のメニュー支援方法によるメニューデータの記録形態を示した図。
【図９】本発明によってメニューデータが伝送される形態を示した図。
【図１０】本発明のメニュー支援方法によるメニューデータの記録形態を示した図。
【図１１】本発明によってメニューデータが伝送される形態を示した図。
【符号の説明】
【００３５】
１…ＤＶＤ、２…光ピックアップ、３…アナログ信号処理部、４…デジタル信号処理部、５…データ分離部、６…ビデオデコーダ部、７…サブピクチュアデコーダ部、８…オーディオデコーダ部、９…再エンコーダ部、１１，３１…高密度ＤＶＤ、１２，３２…選択読出し部、１３…ＶＳＢ再変調部、１４，３５…コントローラ、２１…ＶＳＢ復調部、２２，４２…ＭＰＥＧデコーダ部、２３，４３…ディスプレー部、３３，４１…インタフェース部、３４…ＯＳＤ生成部。
【図１】
0004880662.tif 000002
【図２】
0004880662.tif 000003
【図３】
0004880662.tif 000004
【図４】
0004880662.tif 000005
【図５】
0004880662.tif 000006
【図６】
0004880662.tif 000007
【図７】
0004880662.tif 000008
【図８】
0004880662.tif 000009
【図９】
0004880662.tif 000010
【図１０】
0004880662.tif 000011
【図１１】
0004880662.tif 000012